(57)【要約】【課題】スタンドアローン型課金装置において、ビルバリとコインメックとの間の空間を削減するとともに、ビルバリから紙幣取り出し作業を簡単に行うことのできる課金装置の構造を提供する。【解決手段】本スタンドアローン型課金装置の構造は、課金装置筐体１１内で水平方向に滑動可能なビルバリ２０と、課金装置筐体１１内に収納された状態のビルバリ２０を課金装置筐体１１から一部または完全に引き出した状態まで水平方向に滑動させるスライド機構４０を備える。スライド機構は４０、課金装置筐体１１の片側内壁に水平に設置されたビルバリ引き出し用案内レール４１と、該案内レールに係合するようにビルバリ２０に設置された係合部材４２とからなる。【選択図】図１
2011070637.tif 000002
【特許請求の範囲】
【請求項１】
課金装置筐体内で水平方向に滑動可能なビルバリと、課金装置筐体内に収納された状態のビルバリを課金装置筐体から一部または完全に引き出した状態まで水平方向に滑動させるスライド機構を備えたスタンドアローン型課金装置の構造。
【請求項２】
前記スライド機構は、前記課金装置筐体の片側内壁に水平に設置されたビルバリ引き出し用案内レールと、該案内レールに係合するように前記ビルバリに設置された係合部材とからなる、請求項１に記載のスタンドアローン型課金装置の構造。
【請求項３】
前記スライド機構を、該ビルバリの上方および下方に設置した、請求項１に記載のスタンドアローン型課金装置の構造。
【請求項４】
前記ビルバリの紙幣取り出し側に接近した状態でコインメックを配置した、請求項２または３に記載のスタンドアローン型課金装置の構造。
【請求項５】
前記係合部材は、矩形レールからなる、請求項１〜４のいずれかに記載のスタンドアローン型課金装置の構造。
【発明の詳細な説明】
【技術分野】
【０００１】
本発明は、スタンドアローン型課金装置の構造に関し、より詳細には、課金装置に収容されるビルバリの操作性を維持しながら省スペースを可能にした前記課金装置の構造に関する。
【背景技術】
【０００２】
コピー機や住民票印刷装置等の横に設置されるスタンドアローン型の課金装置は、一般に、ビルバリと呼ばれる紙幣鑑別装置とコインメックと呼ばれる硬貨鑑別装置とで構成される。
【０００３】
コインメックやビルバリの形状は、それらを発案したメーカーがデザインしたものが現在まで踏襲されてきたため、形状・寸法がほぼ類似している。そして、ビルバリやコインメックは、通常、自動販売機内で使用されるため、その取り付け方法に特徴を有する。具体的には、自動販売機の前面扉裏側にビルバリやコインメックが設置される。自動販売機等の前面扉の専用投入口から硬貨や紙幣が入れられ、前面扉のビルバリやコインメックがそれらを回収し、集金や釣銭合わせが行われる。
【０００４】
自動販売機等で使用される上記の形状および設置形態を有するビルバリやコインメックを用いてスタンドアローン型課金装置を構築する従来例を図４に示す。図４の従来装置でビルバリやコインメックを接近した状態で配置すると、裏側から紙幣やコインの回収することが困難なため、通常、課金装置前面にビルバリおよびコインメックの現金回収扉が設置される。前記現金回収扉を前面に設けたくない場合は、ビルバリから紙幣を回収するためにビルバリとコインメックとの間に手を入れて紙幣を回収するスペースが必要となる。
【発明の概要】
【発明が解決しようとする課題】
【０００５】
従来の課金装置の構造では、ビルバリに集められた紙幣を定期的に回収するために、ビルバリ専用の現金回収扉が必要であるか、あるいは、ビルバリとコインメックとの間に紙幣を回収するためのスペースが必要であった。
【０００６】
本発明の目的は、スタンドアローン型課金装置の構造において、ビルバリとコインメックとで占める容積を削減するとともに、ビルバリから紙幣取り出し作業を簡単に行うことの可能な課金装置の構造を提供することにある。
【課題を解決するための手段】
【０００７】
本発明者は、上記課題を鋭意検討した結果、ビルバリの設置構造を改変することで解決できることを見出し、本発明に至った。すなわち、本発明は、スタンドアローン型の課金装置筐体内で水平方向に滑動可能なビルバリと、課金装置筐体内に収納された状態のビルバリを課金装置筐体から一部または完全に引き出した状態まで水平方向に滑動させるスライド機構を備えた課金装置の構造を提供する。本発明の課金装置の構造は、課金装置筐体に設置したスライド機構とビルバリとを連合させることにより、ビルバリを正確な位置かつ容易に移動させる。
【０００８】
前記スライド機構は、前記課金装置筐体の片側内壁に水平に設置されたビルバリ引き出し用案内レールと、該案内レールに係合するように前記ビルバリに設置された係合部材とからなることが好ましい。
【０００９】
前記スライド機構は、該ビルバリの上方および下方に設置されることが好ましい。
【００１０】
本発明の課金装置の構造は、前記ビルバリの紙幣取り出し側に接近した状態でコインメックを配置する場合に有利である。
【００１１】
前記係合部材は、例えば矩形レールからなる。
【００１２】
本発明のスタンドアローン型課金装置の構造によれば、ビルバリの紙幣取り出し側にコインメックを配置した場合にビルバリとコインメックとの間隔を最小限に狭めても、従来のようなビルバリの紙幣回収用扉を設ける必要が無い。しかも、本発明の課金装置の構造では、ビルバリに収まった紙幣の回収が容易となる。
【図面の簡単な説明】
【００１３】
【図１】本発明に従う一実施形態のスタンドアローン型課金装置の構造の部分斜視図であって、ビルバリが課金装置前面方向に引き出された状態を示す。
【図２】図１の課金装置の部分正面図であって、課金装置内部を示す図である。
【図３】図１の課金装置であって、扉を開けた状態の斜視図（Ａ）と、正面図（Ｂ）を示す。
【図４】従来技術の課金装置の正面図（Ａ）とその側面図（Ｂ）であって、課金装置内部を示す。
【発明を実施するための形態】
【００１４】
本発明の一実施の形態を添付の図１〜３を用いて説明する。ただし、本発明は、これらの図に記載されるものに限定されない。図１において、スタンドアローン型課金装置１０は、課金装置筐体１１と、課金装置１０に収容されるビルバリ２０およびコインメック３０と、ビルバリ２０を課金装置前面に引き出すためのスライド機構４０とを備える。
【００１５】
課金装置筐体１１は、ビルバリ２０およびコインメック３０を収納する専用ボックスである。課金装置筐体１１の上部にビルバリ２０とコインメック３０とが接近した状態で収納され、下部には課金装置制御部１５が設置される。
【００１６】
ビルバリ２０は、自動販売機等に設置される紙幣識別機ユニットであり、ビルバリデータとも呼ばれる。ビルバリ２０は、課金装置筐体１１の一側面に紙幣挿入口２２が設けられるように課金装置筐体１１内に収容される。ビルバリ２０は、後述するスライド機構４０により、課金装置筐体１１内に水平方向に出し入れ可能である。ビルバリ２０の裏面には、紙幣取り出し用フック２１が取り付けられている。
【００１７】
スライド機構４０は、課金装置筐体１１の片側内壁に水平に設置されたビルバリ引き出し用案内レール４１と、該案内レールに係合するように前記ビルバリ２０に設置された係合部材４２とからなる。
【００１８】
スライド機構４０は、ほぼ水平に設置されるが、少し前傾または後傾していてもよい。ほぼ水平の場合はビルバリを引き出した状態での作業が容易となり、前傾の場合はビルバリを引き出しやすくなり、そして、後傾の場合はビルバリを収納しやすくなる。
【００１９】
スライド機構４０は、課金装置筐体１１内に収納された状態のビルバリ２０を課金装置筐体から一部または完全に引き出した状態まで水平方向に滑動させる。ビルバリ２０のビルバリ紙幣取出フック２１をコインメック側に開くために、スライド機構４０は、課金装置筐体１１内に収納されたビルバリ２０を課金装置筐体前面方向に完全に引き出した状態まで滑動できることが好ましい。
【００２０】
ビルバリ引き出し用案内レール４１は、これと連合する係合部材４２を水平に安定した状態で案内するためにある。案内レール４１は、少なくともビルバリの奥行きの分だけ長尺であればよい。さらに、案内レール４１は、図１に示すように、課金装置筐体１１から伸縮可能に延在するようにしてもよい。これは、１本の案内レールにもう１本の案内レール（以下、中間レールという）を摺動自在に連結することにより達成できる。中間レールがあると、係合部材４２を引き出す途中で中間レールがアームのように伸びてビルバリ２０の荷重を支える点で有利である。
【００２１】
案内レール４１の断面形状は、平板、Ｌ形、コ形、Ｕ字形等であり得るが、案内レール４１と係合部材４２との係合を確実にするために上方に開放した断面Ｌ形または断面コ形のような矩形が好ましい。
【００２２】
案内レール４１は、ビルバリ２０の荷重に耐えるための剛性を有する金属等でできており、例えばステンレス、鉄、アルミニウム等である。案内レール４１は、課金装置筐体１１の内側面にリベット、螺子等の適宜の緊締手段で固定されている。
【００２３】
ビルバリ引き出し用案内レール４１の前端近傍やビルバリ２０の側面にリミットストッパやロック機構（図示せず）を設けてもよい。リミットストッパ等にビルバリの係合部材４２の終端が当接することで、ビルバリ２０を不用意に引き出し過ぎたり、さらに落下させたりすることがなくなる。
【００２４】
ビルバリ引き出し用案内レール４１と連合する係合部材４２は、ビルバリ２０を課金装置筐体１１から前面に引き出す際に、ビルバリ２０が案内レール４１にしっかり保持される機能と形状を有するものであれば特に制限されない。図１では、矩形レールが採用されている。
【００２５】
該矩形レールは、ビルバリ２０本体、あるいはビルバリを取り付けるためのブラケット１２に、ビルバリ引き出し用案内レール４１と係合する位置に水平に設置される。係合部材４２は、ビルバリ本体等にリベット、螺子等の適宜の緊締手段で固定される。
【００２６】
ビルバリ引き出し用案内レール４１と係合部材４２との滑動をよりスムースにするために、案内レール４１または係合部材４２のいずれか一方にローラ、ベアリング（図示せず）等を敷設してもよい。ローラ等により走行面の摩擦が緩和され、ビルバリ２０を引き出す力を低減し、スライド機構４０の延命にもなる。
【００２７】
スライド機構４０の設置位置は、ビルバリ２０と課金装置筐体１１の内側面との接触する一または複数の場所であれば制限されない。図１のように、ビルバリ２０の上方および下方であることが好ましい。上下の両スライド機構４０によりビルバリ２０を保持することにより、ビルバリの安定がより一層確保される。上下のスライド機構４０は、同一または別種のものでよい。図１では、上下の係合手段４２は矩形レールであるが、下方をローラにすることもできる。
【００２８】
本発明のスタンドアローン型課金装置の構造は、ビルバリ２０の紙幣取り出しフックの前面（ビルバリ２０の裏面）に、ビルバリ２０と接近した状態でコインメック３０を配置することができる。コインメックの向きは特に制限されない。コインメック３０は、釣銭機能内蔵の硬貨循環式セレクターである。コインメックは、コインチェンジャーやコインメカニズムとも呼ばれる。１０円、５０円、１００円、５００円等の硬貨の選別部には、電子式硬貨選別機が使用されている。この電子式硬貨選別機は、硬貨の真偽を機械的に検査するのではなく、センサと電子回路により正貨か否かを判別する。
【００２９】
硬貨は、課金装置１０の天板に設置された硬貨投入口３１より入れられ、硬貨投入用通路３２を通ってコインメック３０に進入する。硬貨は、コインメック３０で選別された後、１０円、５０円、１００円、５００円等のコインメック内の釣銭カセットチューブ（図示せず）に格納される。釣銭用カセットチューブ取り出しフック３３を前へ引くことによりカセットが開けられ、釣銭カセットチューブに格納された硬貨が回収される。なお、釣銭カセットチューブに格納しきれなかった硬貨は、金庫３６内に収容される。一方、課金装置１０の天面に設置された硬貨返却レバー３４により返却が希望されると、入れられた硬貨は硬貨返却口３５に回される。そして、釣銭が必要とされるときも、釣銭用硬貨がモーター（図示せず）によって硬貨返却口３５に出される。これらの機構は、従来のものと同様である。
【００３０】
コインメック３０は、課金装置筐体１１内に螺子、ビス等の固定手段を用いて固定される。また、スライド機構４０をコインメック側にも敷設して、コインメック３０自体を課金装置の前面に引き出すようにしてもよい。これにより、コインメック専用の現金回収扉を設ける必要がなくなる。
【００３１】
本発明のスタンドアローン型課金装置の構造の操作方法を、以下に説明する。まず、課金装置１０の紙幣投入口２０から紙幣が投入され、ビルバリ２０に貯まる。紙幣が貯まった段階で、課金装置筐体１１の扉１３の鍵１４を開けて、ビルバリ２０を扉の解放側に完全に引き出す。次に、ビルバリ２０の紙幣取り出しフック２１をコインメック側に倒して、ビルバリ２０の紙幣収容ボックスを開放する。ビルバリ２０内の紙幣を回収した後、上記の逆の順に操作する。
【産業上の利用可能性】
【００３２】
本発明のスタンドアローン型課金装置の構造は、ビルバリおよびコインメックを具備する各種課金装置に使用することができる。具体的には、コピー機、住民票、謄本、印鑑証明、納税証明等の印刷装置、自動生ビールサーバー、娯楽機器等の横に設置する。本発明の課金装置の構造は、特に最小容積設計が必要とされる場所に好適である。
【符号の説明】
【００３３】
１０  課金装置
１１  課金装置筐体
１２  ビルバリ固定用ブラケット
１３  課金装置扉
１４  扉用鍵
１５  課金装置制御部
２０  ビルバリ
２１  紙幣取り出しフック
２２  紙幣投入口
３０  コインメック
３１  硬貨投入口
３２  硬貨投入用通路
３３  釣銭用カセットチューブ取り出しフック
３４  コイン返却レバー
３５  硬貨返却口
３６  金庫
４０  スライド機構
４１  ビルバリ引き出し用案内レール
４２  係合部材
【図１】
2011070637.tif 000003
【図２】
2011070637.tif 000004
【図３】
2011070637.tif 000005
【図４】
2011070637.tif 000006